(57)【要約】【課題】凝集剤を用いることなく、且つ金属の溶出もなく、負に帯電した油分などの除去対象物を水から好適に除去することが可能な水処理方法を提供する。【解決手段】負に帯電した除去対象物を含む水Ｗ１から除去対象物を除去する水処理方法であって、少なくとも一方の電極３に除去対象物に対して吸着性を有し、且つ通電性を有する非金属製の多孔質材３ａを用いた一対の電極３、４を水Ｗ１中に配設し、一方の電極３を陽極、他方の電極４を陰極として直流電圧を印加するとともに一対の電極３、４間の水Ｗ１に直流電流を通電して、除去対象物を一方の電極３に収着させる。【選択図】図１
2010046629.tif 000002
【特許請求の範囲】
【請求項１】
負に帯電した除去対象物を含む水から前記除去対象物を除去する水処理方法であって、
少なくとも一方の電極に前記除去対象物に対して吸着性を有し、且つ通電性を有する非金属製の多孔質材を用いた一対の電極を前記水中に配設し、
前記一方の電極を陽極、他方の電極を陰極として直流電圧を印加するとともに前記一対の電極間の前記水に直流電流を通電して、前記除去対象物を前記一方の電極に収着させることを特徴とする水処理方法。
【請求項２】
請求項１記載の水処理方法において、
前記一方の電極を陰極、前記他方の電極を陽極として直流電圧を印加し、前記一方の電極に収着した前記除去対象物を前記一方の電極から脱離させて回収することを特徴とする水処理方法。
【請求項３】
請求項１から請求項２に記載の水処理方法において、
前記多孔質材が木炭あるいは竹炭であることを特徴とする水処理方法。
【請求項４】
請求項１から請求項３のいずれかに記載の水処理方法において、
前記電極がチップ状あるいは粒状の前記多孔質材を一体に集積して形成されていることを特徴とする水処理方法。
【請求項５】
請求項１から請求項４のいずれかに記載の水処理方法において、
前記水に電解質を添加することを特徴とする水処理方法。
【請求項６】
請求項１から請求項５のいずれかに記載の水処理方法において、
一端側から他端側に向けて前記水を流通可能に形成された除去槽内の前記一端側に前記他方の電極を、前記他端側に前記一方の電極をそれぞれ配設し、前記一対の電極間を流通する前記水に直流電流を通電して、前記除去対象物を前記一方の電極に収着させることを特徴とする水処理方法。
【請求項７】
請求項１から請求項５のいずれかに記載の水処理方法において、
前記水を貯留可能に形成された除去槽内に前記一対の電極を配設し、該除去槽内に貯留した前記水に直流電流を通電して、前記除去対象物を前記一方の電極に収着させることを特徴とする水処理方法。
【請求項８】
請求項１から請求項７のいずれかに記載の水処理方法において、
前記除去対象物が油分であることを特徴とする水処理方法。
【発明の詳細な説明】
【技術分野】
【０００１】
本発明は、負に帯電した油分などの除去対象物を含む水からこの除去対象物を除去する水処理方法に関する。
【背景技術】
【０００２】
例えば油分を含む廃水（排水）においては、油粒子（油分、除去対象物）が負に帯電し、この負電荷によって油粒子同士が反発しあい、廃水中に微細な粒子のまま分散、浮遊した状態で存在する。このため、廃水を静置しただけでは油分を分離することができず、この油分含有廃水から油分を除去するために、活性炭などの吸着材で吸着除去する方法が多用されている。
【０００３】
しかしながら、単に活性炭に油分を吸着させて除去する方法では、負に帯電した油粒子の除去効率が低く、また、活性炭に吸着した油分を回収したり、活性炭の低下した吸着性能を回復させるために多大な手間とコストが必要になる。このため、油分が吸着して吸着性能が低下した高価な活性炭をそのまま産業廃棄物として処分せざるを得ない場合も多い。
【０００４】
一方、油分含有廃水から油分を除去する他の方法として、アルミニウムや銅などの金属製の一対の電極を廃水中に配設し、一対の電極に直流電圧を印加するとともに廃水中に直流電流を通電させ、電気泳動によって負に帯電した油粒子を陽極側の電極に収着させて除去する方法や、廃水に例えばＰＡＣ（ポリ塩化アルミニウム）などの凝集剤を添加して微細な油粒子を凝集させるとともに、廃水中に供給した微細気泡で油粒子を捕集しつつ浮上させて除去する方法などが提案、実施されている（例えば、特許文献１参照）。
【特許文献１】特開２００３−２６０４６６号公報
【発明の開示】
【発明が解決しようとする課題】
【０００５】
しかしながら、従来の一対の電極に直流電圧を印加して油粒子を収着させる方法においては、金属製の電極を用いているため、廃水に直流電流を通電すると電極から金属が溶出する。このため、廃水中の油粒子を電極に収着させて除去すると同時に、逆に電極から溶出した金属分が処理水中に混入するという問題があった。
【０００６】
また、微細気泡で油粒子を捕集しつつ浮上させて除去する方法においては、凝集剤を添加して微細な油粒子を凝集させるため、多くの薬剤コストが必要になる。
【０００７】
本発明は、上記事情に鑑み、凝集剤を用いることなく、且つ金属の溶出もなく、負に帯電した油分などの除去対象物を水から好適に除去することが可能な水処理方法を提供することを目的とする。
【課題を解決するための手段】
【０００８】
上記の目的を達するために、この発明は以下の手段を提供している。
【０００９】
本発明の水処理方法は、負に帯電した除去対象物を含む水から前記除去対象物を除去する水処理方法であって、少なくとも一方の電極に前記除去対象物に対して吸着性を有し、且つ通電性を有する非金属製の多孔質材を用いた一対の電極を前記水中に配設し、前記一方の電極を陽極、他方の電極を陰極として直流電圧を印加するとともに前記一対の電極間の前記水に直流電流を通電して、前記除去対象物を前記一方の電極に収着させることを特徴とする。
【００１０】
この発明においては、一対の電極に直流電圧を印加するとともにこれら一対の電極間の水に直流電流を通電することによって、凝集剤を用いることなく、負に帯電した油分などの除去対象物を電気泳動により一方の電極に収着させることが可能になる。また、例えば活性炭、木炭、竹炭などの吸着性と通電性を有する非金属製の多孔質材を電極に用いているため、従来の金属製の電極のように除去対象物を収着させるとともに電極から金属分が溶出して水（処理水）中に混入することがない。さらに、電気泳動と一方の電極の吸着性によって効率的に除去対象物を一方の電極に収着させて除去することが可能になる。これにより、負に帯電した油分などの除去対象物を水から好適に除去することが可能になる。
【００１１】
また、本発明の水処理方法においては、前記一方の電極を陰極、前記他方の電極を陽極として直流電圧を印加し、前記一方の電極に収着した前記除去対象物を前記一方の電極から脱離させて回収することが望ましい。
【００１２】
この発明においては、一方の電極を陽極、他方の電極を陰極として一方の電極に収着させた除去対象物を、一方の電極を陰極、他方の電極を陽極にして電位を逆転させることにより、一方の電極から脱離させることができる。すなわち、一方の電極と他方の電極の電位を選択的に切り換えることによって、一方の電極に対し除去対象物を可逆的に収着／脱離（着脱）させることが可能になる。これにより、一方の電極と他方の電極の電位を逆転させるという簡便な操作で、容易に一方の電極に収着した除去対象物を回収したり、一方の電極の吸着性能を回復させることが可能になり、電極をリサイクル使用することが可能になる。
【００１３】
さらに、本発明の水処理方法においては、前記多孔質材が木炭あるいは竹炭であることがより望ましい。
【００１４】
この発明においては、多孔質材（電極）が木炭あるいは竹炭であることによって、例えば活性炭を多孔質材として用いる場合よりも電極を安価にすることができる。これにより、水処理コストの低減を図ることが可能になる。
【００１５】
また、本発明の水処理方法においては、前記電極がチップ状あるいは粒状の前記多孔質材を一体に集積して形成されていることがさらに望ましい。
【００１６】
この発明においては、チップ状あるいは粒状にした（個片化した）多孔質材を一体に集積して電極を形成することによって、多孔質材と水の接触面積を増大させることが可能になる。これにより、一方の電極の吸着性能を上げることができ、効率的に除去対象物を収着させて除去することが可能になる。
【００１７】
さらに、本発明の水処理方法においては、前記水に電解質を添加することが望ましい。
【００１８】
この発明においては、水に電解質を添加しておくことによって、水の通電性を高めることができ、一対の電極に直流電圧を印加することによって、より効率的に除去対象物を一方の電極に収着させて除去することが可能になる。
【００１９】
さらに、本発明の水処理方法においては、一端側から他端側に向けて前記水を流通可能に形成された除去槽内の前記一端側に前記他方の電極を、前記他端側に前記一方の電極をそれぞれ配設し、前記一対の電極間を流通する前記水に直流電流を通電して、前記除去対象物を前記一方の電極に収着させることが望ましい。
【００２０】
この発明においては、除去槽内に水を流通させながら順次この水に含まれる除去対象物を一方の電極に収着させて除去することが可能になる。これにより、効率的に除去対象物を除去することが可能になる。
【００２１】
また、本発明の水処理方法においては、前記水を貯留可能に形成された除去槽内に前記一対の電極を配設し、該除去槽内に貯留した前記水に直流電流を通電して、前記除去対象物を前記一方の電極に収着させるようにしてもよい。
【００２２】
この発明においては、除去槽内に貯留した水から除去対象物を確実に除去することが可能になる。
【００２３】
さらに、本発明の水処理方法においては、前記除去対象物が油分であることが望ましい。
【００２４】
この発明においては、一対の電極に直流電圧を印加するとともに一対の電極間の水に直流電流を通電することによって、凝集剤を用いることなく、且つ電極から金属分が溶出して処理水中に混入することなく、負に帯電した油分を確実に除去して水処理を行うことが可能になる。
【発明の効果】
【００２５】
本発明の水処理方法によれば、例えば活性炭、木炭、竹炭などの吸着性と通電性を有する非金属製の多孔質材を電極に用いることで、電気泳動と一方の電極の吸着によって効率的に除去対象物を一方の電極に収着させて除去することが可能になる。また、凝集剤を用いることなく、且つ金属分が水（処理水）中に混入することなく、負に帯電した油分などの除去対象物を水から好適に除去することが可能になる。
【００２６】
また、一方の電極と他方の電極の電位を逆転させるという簡便な操作で、容易に一方の電極に収着した除去対象物を回収したり、一方の電極の吸着性能を回復させることが可能になり、電極をリサイクル使用することが可能になる。
【発明を実施するための最良の形態】
【００２７】
以下、図１から図４を参照し、本発明の一実施形態に係る水処理方法について説明する。本実施形態は、負に帯電した油分を含む油分含有廃水からこの油分を除去する水処理方法に関するものである。
【００２８】
本実施形態の水処理方法においては、例えば図１に示す水処理装置（カラム式水処理装置）１を用いる。この水処理装置１は、一端２ａ側から他端２ｂ側に向けて廃水（水）Ｗ１を流通可能に形成された筒状の除去槽（カラム）２と、この除去槽２内の一端２ａ側と他端２ｂ側にそれぞれ間隔をあけて配設された一対の電極３、４と、一対の電極３、４の間に充填されたガラスビーズなどの充填材５と、直流電源６とを備えて構成されている。
【００２９】
一対の電極３、４はそれぞれ、廃水Ｗ１中に含まれる負に帯電した油分（除去対象物）に対して吸着性を有し、且つ通電性を有する木炭（非金属製の多孔質材）３ａ、４ａを用いて形成されている。また、これら一対の電極３、４はそれぞれ、木炭３ａ、４ａをチップ状あるいは粒状に個片化し、この個片化した木炭３ａ、４ａを除去槽２内に層状に充填して（一体に集積して）形成されている。これにより、水処理装置１は、除去槽２の一端２ａ側から他方の電極４の間隙（集積した木炭４ａの間隙）、充填材５の間隙、一方の電極３の間隙（集積した木炭３ａの間隙）を廃水Ｗ１が順に流通するように構成されている。
【００３０】
そして、一対の電極３、４には、除去槽２の他端２ｂ側（廃水Ｗ１の流通方向Ｔ下流側）に配設された一方の電極３が陽極、一端２ａ側（廃水Ｗ１の流通方向Ｔ上流側）に配設された他方の電極４が陰極となるように直流電源６が繋げられている。これにより、水処理装置１は、除去槽２内を流通する廃水Ｗ１中に配設された一対の電極３、４に直流電源６によって直流電圧が印加され、一対の電極３、４間の廃水Ｗ１に直流電流を通電できるように構成されている。
【００３１】
このカラム式水処理装置１を用いて廃水Ｗ１から油分を除去する際には、一対の電極３、４に直流電圧を印加するとともに、除去槽２内に一端２ａ側から他端２ｂ側に向けて廃水Ｗ１を流通させる。このとき、一方の電極３と他方の電極４がそれぞれ、油分に対して吸着性を有する木炭３ａ、４ａを用いて形成されているため、これらの電極３、４を通過するように廃水Ｗ１が流通し順次木炭３ａ、４ａに接触することによって、廃水Ｗ１中の油分が各電極３、４の木炭３ａ、４ａに吸着して除去される。
【００３２】
さらに、一対の電極３、４に直流電圧を印加するとともにこれら一対の電極３、４間を流通する廃水Ｗ１に直流電流が通電されるため、廃水Ｗ１中の負に帯電した油分は、電気泳動によって一方の電極３の木炭３ａの無数の微細孔に導かれ、これら無数の微細孔に吸着（収着）される。これにより、廃水Ｗ１中の油分は、各電極３、４の木炭３ａ、４ａに吸着することに加えて、電気泳動によって一方の電極３に収着するため、効率的に廃水Ｗ１から除去される。そして、このように油分が除去された処理水Ｗ２が順次除去槽２の他端２ｂ側から外部に排出される。
【００３３】
また、このとき、一対の電極３、４（特に一方の電極３）が、チップ状あるいは粒状の木炭３ａ、４ａを集積して形成されていることにより、個片化した木炭３ａ、４ａと廃水Ｗ１の接触面積が十分に確保される。このため、廃水Ｗ１中の油分が、廃水Ｗ１の流通とともに確実に一対の電極３、４に吸着され、且つ電気泳動によって一方の電極３に収着され、この点からも効率的に廃水Ｗ１中から除去されることになる。
【００３４】
さらに、従来の水処理方法のように、凝集剤を添加する必要がなく、また、木炭３ａ、４ａを用いて一対の電極３、４が形成されていることで電極から金属が溶出し金属分が処理水Ｗ２に混入することもなく、廃水Ｗ１から好適に油分を除去して水処理が行える。このため、特に低濃度油分廃水の低コスト処理や高濃度油分廃水処理過程の二次処理などに適用できる。
【００３５】
ここで、図２は、蒸留水にＡ重油を混入し、油分濃度（原水油分濃度）を２２６．３ｍｇ／ｌにした廃水Ｗ１を除去槽２に流通させ、油分の除去効果を確認した結果を示している。また、この試験では、ＳＶ（空間速度）を１、２．３、３．５、７．５に段階的に変化させて廃水Ｗ１を除去槽２に流通させており、各ＳＶにおいて、一対の電極３、４に３０Ｖの直流電圧を印加した場合と、一対の電極３、４に直流電圧を印加しない場合の油分の除去効果の違いを確認している。
【００３６】
図２に示すように、一対の電極３、４に直流電圧を印加しない場合においても、油分に対し吸着性を有する木炭３ａ、４ａを用いて各電極３、４が形成されているため、これらの電極３、４を廃水Ｗ１が流通し順次木炭３ａ、４ａに接触することにより、廃水Ｗ１中の油分が各電極３、４（木炭３ａ、４ａ）に吸着して除去される。また、ＳＶを小さくするほどに処理水Ｗ２の油分濃度が低下し、ＳＶを１とした場合に油分濃度が９．１ｍｇ／ｌまで低下することが確認された。一方、一対の電極３、４に直流電圧を印加した場合には、さらに処理水Ｗ２の油分濃度が低下し、ＳＶを１とした場合には処理水Ｗ２中に油分が検出されなくなることが確認された。
【００３７】
これにより、一対の電極３、４を油分に対して吸着性を有し、且つ通電性を有する木炭３ａ、４ａを用いて形成することによって、油分を廃水Ｗ１の流通とともに一対の電極３、４に吸着させて除去でき、さらに、一対の電極３、４に直流電圧を印加して一対の電極３、４間の廃水Ｗ１に直流電流を通電することで、電気泳動によって油分を一方の電極３に収着させてさらに効率的に除去できることが実証された。
【００３８】
加えて、図３は、蒸留水にＡ重油を混入し、油分濃度（原水油分濃度）を２６３．７ｍｇ／ｌにした廃水Ｗ１に、塩化ナトリウム（ＮａＣｌ）の電解質を５０００ｍｇ／ｌとなるように添加し、この電解質を添加した廃水Ｗ１を除去槽２に流通させ、油分の除去効果を確認した結果を示している。また、この試験では、ＳＶ（空間速度）を１、２．５、３．２、４．３に段階的に変化させて廃水Ｗ１を除去槽２に流通させ、各ＳＶにおいて、一対の電極３、４に３０Ｖの直流電圧を印加した場合と、一対の電極３、４に直流電圧を印加しない場合の油分の除去効果の違いを確認している。
【００３９】
そして、図３に示すように、廃水Ｗ１に電解質を添加することにより、油分の除去効果が向上することが確認され、特に一対の電極３、４に直流電圧を印加した場合には、すべてのＳＶにおいて処理水Ｗ２中に油分が検出されなくなることが確認された。このように、廃水Ｗ１に電解質を添加し、廃水Ｗ１の通電性を高めることによって、油分の除去効果を大幅に向上させることができるとともに、廃水Ｗ１の処理速度を高めることができ、より効率的に油分を除去できることが確認された。
【００４０】
一方、上記のように、除去槽２内に連続的に廃水Ｗ１を流通させ、廃水Ｗ１中の油分を一対の電極３、４に収着（吸着）させて除去してゆくと、木炭３ａ、４ａの無数の微細孔が徐々に油分で埋まり、特に多量の油分が収着する一方の電極３の吸着性能（収着性能）が低下する。本実施形態の水処理方法においては、このように一方の電極３の吸着性能が低下した段階で、図４に示すように、一方の電極３を陰極、他方の電極４を陽極にして電位を逆転させる。これにより、一方の電極３に収着した油分が、陽極の他方の電極４に向かう方向に移動を開始し、一方の電極３から脱離することになる。このため、例えば除去槽２に洗浄水Ｗ３を流通させつつ一方の電極３と他方の電極４の電位を逆転させることにより、一方の電極３に収着した油分を洗浄水Ｗ３に脱離させ、この洗浄水Ｗ３とともに除去槽２の他端２ｂ側から外部に排出させて回収できる。また、このように一方の電極３に収着した油分を脱離させることで、一方の電極３の吸着性能が回復する。
【００４１】
なお、電位の逆転によって一方の電極３に収着した油分を完全に脱離させることが困難な場合には、電極３、４が木炭３ａ、４ａを用いて形成されているため、この木炭３ａ、４ａを加熱し、収着（吸着）した油分を気化させることによって、吸着性能を回復させることが可能である。
【００４２】
したがって、本実施形態の水処理方法においては、一対の電極３、４に直流電圧を印加するとともにこれら一対の電極３、４間の廃水Ｗ１に直流電流を通電することによって、凝集剤を用いることなく、負に帯電した油分を電気泳動により一方の電極３に収着させることが可能になる。また、吸着性と通電性を有する木炭３ａ、４ａ（非金属製の多孔質材）を電極３、４に用いているため、従来の金属製の電極のように金属分が溶出して処理水Ｗ２中に混入することがない。さらに、電気泳動と一方の電極３の吸着によって効率的に油分を一方の電極３に収着させて除去することが可能になる。これにより、負に帯電した油分を廃水Ｗ１から好適に除去することが可能になる。
【００４３】
また、一方の電極３を陽極、他方の電極４を陰極として一方の電極３に収着させた油分を、一方の電極３を陰極、他方の電極４を陽極にして電位を逆転させることにより、一方の電極３から脱離させることができる。すなわち、一方の電極３と他方の電極４の電位を選択的に切り換えることによって、一方の電極３に対し油分を可逆的に収着／脱離（着脱）させることが可能になる。これにより、一方の電極３と他方の電極４の電位を逆転させるという簡便な操作で、容易に一方の電極３に収着した油分を回収したり、一方の電極３の吸着性能を回復させることが可能になり、電極３、４を確実にリサイクル使用することが可能になる。
【００４４】
さらに、電極３、４が木炭（多孔質材）３ａ、４ａを用いて形成されていることによって、例えば活性炭を用いる場合よりも電極３、４を安価にすることができる。これにより、水処理コストの低減を図ることが可能になる。
【００４５】
また、チップ状あるいは粒状の木炭３ａ、４ａを一体に集積して電極３、４を形成することによって、木炭３ａ、４ａと廃水Ｗ１の接触面積を増大させることが可能になる。これにより、一方の電極３の吸着性能を上げることができ、効率的に油分を収着させて除去することが可能になる。
【００４６】
さらに、廃水Ｗ１に電解質を添加しておくことによって、廃水Ｗ１の通電性を高めることができ、一対の電極３、４に直流電圧を印加することによって、より効率的に油分を一方の電極３に収着させて除去することが可能になる。
【００４７】
また、一端２ａ側から他端２ｂ側に向けて廃水Ｗ１を流通可能に形成された除去槽２内に一対の電極３、４をそれぞれ配設し、一対の電極３、４間を流通する廃水Ｗ１に直流電流を通電することによって、除去槽２内に廃水Ｗ１を流通させながら順次この廃水Ｗ１に含まれる油分を一方の電極３に収着させて除去することが可能になる。これにより、効率的に油分を除去することが可能になる。
【００４８】
以上、本発明に係る水処理方法の一実施形態について説明したが、本発明は上記の一実施形態に限定されるものではなく、その趣旨を逸脱しない範囲で適宜変更可能である。例えば、本実施形態では、除去対象物が油分であるものとし、この油分を含んだ廃水Ｗ１を処理するものとして説明を行ったが、本発明は、廃水Ｗ１以外の水処理に適用してもよい。また、除去対象物は、油分に限らず、例えば土粒子や微細藻類などの負に帯電した状態で浮遊する浮遊性物質、例えばクロム酸イオン（ＣｒＯＸＹ−）や酸化砒素イオン（ＡｓＯＸＹ−）などの陰イオンの状態で溶存する溶存物質などであってもよく、このような負に帯電した除去対象物であれば、本発明を適用して除去することが可能である。
【００４９】
また、本実施形態では、多孔質材が木炭３ａ、４ａであるものとして説明を行ったが、本発明に係る多孔質材は、除去対象物に対して吸着性を有するとともに通電性を有していれば、特に限定を必要としない。例えば活性炭、竹炭などの他の炭を用いてもよく、竹炭を用いる場合には、本実施形態と同様、活性炭よりも安価で電極３、４を形成することができる。
【００５０】
さらに、本実施形態では、一方の電極３と他方の電極４が、除去対象物（油分）に対して吸着性を有し、且つ通電性を有する非金属製の多孔質材（木炭３ａ、４ａ）を用いて形成されているものとしたが、少なくとも水から負に帯電した除去対象物を除去する際に陽極にする一方の電極３が多孔質材を用いて形成されていれば、本実施形態と同様の効果を得ることが可能である。
【００５１】
また、本実施形態では、カラム式水処理装置１の廃水Ｗ１を一端２ａ側から他端２ｂ側に向けて流通可能に形成された除去槽２内に一対の電極３、４をそれぞれ配設し、除去槽２内に廃水Ｗ１を流通させながら順次この廃水Ｗ１に含まれる油分を一方の電極３に収着させて除去するものとした。これに対し、例えば図５に示すように、水処理装置１０を、廃水（水）Ｗ１を貯留可能に形成された除去槽１１内に一対の電極１２、１３を配設したバッチ式水処理装置とし、このバッチ式水処理装置１０を用いて、除去槽１１内に貯留した廃水Ｗ１に直流電流を通電し、油分（除去対象物）１４を一方の電極１２に収着させて除去するようにしてもよい。
【００５２】
この場合には、一方の電極１２や他方の電極１３を、棒状の木炭や竹炭などの多孔質材を用いて形成したり、チップ状あるいは粒状にした多孔質材を篭などに収容し一体に集積して形成すればよい。そして、本実施形態と同様、一方の電極１２を陽極、他方の電極１３を陰極として直流電源６を繋ぎ、一対の電極１２、１３間の廃水Ｗ１に直流電流を通電することによって、図５（ａ）に示すように、廃水Ｗ１中の油分１４を一方の電極１２に徐々に収着させて除去することが可能になり、油分１４を除去した処理水Ｗ２を得ることができる。また、除去槽１１から処理水Ｗ２を外部に排出し、新たに廃水Ｗ１を貯留して処理を繰り返すことによって、順次水処理を行うことができる。
【００５３】
一方、処理を繰り返し行って一方の電極１２に多量の油分１４が収着し、一方の電極１２の吸着性能が低下した場合には、図５（ｂ）に示すように、除去槽１１に洗浄水Ｗ３を貯留するとともに、一方の電極１２を陰極、他方の電極１３を陽極にして電位を逆転させる。これにより、本実施形態と同様、一方の電極１２に収着した油分を脱離させて回収することが可能になる。また、このように一方の電極１２に収着した油分を脱離させることで、一方の電極１２の吸着性能の回復を図ることが可能になる。
【００５４】
さらに、本実施形態では、廃水Ｗ１に添加する電解質が塩化ナトリウムであるものとし、この電解質を５０００ｍｇ／ｌで添加するものとしたが、例えば海水を電解質として添加して廃水Ｗ１の通電性を向上させるようにしてもよく、廃水Ｗ１の通電性を高めることが可能であれば、特に電解質を塩化ナトリウムに限定する必要はない。また、その添加量は、除去対象物の濃度などに応じて適宜設定すればよい。
【図面の簡単な説明】
【００５５】
【図１】本発明の一実施形態に係る水処理方法（水処理装置）を示す図である。
【図２】本発明の一実施形態に係る水処理方法を用いて油分含有廃水から油分を除去した試験結果を示す図である。
【図３】本発明の一実施形態に係る水処理方法を用いて油分含有廃水から油分を除去した試験結果を示す図であり、電解質を添加した場合の試験結果を示す図である。
【図４】本発明の一実施形態に係る水処理方法（水処理装置）を示す図であり、一対の電極の電位を逆転させた状態を示す図である。
【図５】本発明の一実施形態に係る水処理方法（水処理装置）の変形例を示す図である。
【符号の説明】
【００５６】
１      水処理装置（カラム式水処理装置）
２      除去槽
２ａ    一端
２ｂ    他端
３      一方の電極
３ａ    木炭（多孔質材）
４      他方の電極
４ａ    木炭（多孔質材）
５      充填材
６      直流電源
１０    水処理装置（バッチ式水処理装置）
１１    除去槽
１２    一方の電極
１３    他方の電極
１４    油分（除去対象物）
Ｔ      流通方向
Ｗ１    廃水（水）
Ｗ２    処理水
Ｗ３    洗浄水
【図１】
2010046629.tif 000003
【図２】
2010046629.tif 000004
【図３】
2010046629.tif 000005
【図４】
2010046629.tif 000006
【図５】
2010046629.tif 000007